【手続補正書】
【提出日】平成23年9月20日(2011.9.20)
【手続補正１】
【補正対象書類名】特許請求の範囲
【補正対象項目名】全文
【補正方法】変更
【補正の内容】
【特許請求の範囲】
【請求項１】
中心軸を有する継手本体と、
該継手本体に組み付けられたナットであって、該ナットは、管を受容するようにサイズが決められた環状内腔を有する、ナットと、
該継手本体と該ナットとの間に組み付けられた環状管把持部材であって、該管把持部材は、半径方向内側部分から半径方向外側部分へと半径方向外側に向けて第１の軸方向に延びている第１および第２の間隔が空けられた切頭円錐壁を含み、該半径方向内側部分は、該継手本体と該ナットとが該管に締結されたときに、該管を噛み合いの円周上の輪に沿って塑性変形し、該管把持部材と該管との間にシールを提供するように構成されている環状管押込エッジを有する、環状管把持部材と
を備える、管継手。
【請求項２】
前記第１および第２の切頭円錐壁は、半径方向断面において平行線を形成する、請求項１に記載の管継手。
【請求項３】
前記管把持部材は、ばね座金を含む、請求項１に記載の管継手。
【請求項４】
前記管把持部材の前記半径方向外側部分は、前記継手本体と前記ナットとが前記管に組み付けられたときに、該継手の管把持部材受容内腔と噛み合うように構成されている、請求項１に記載の管継手。
【請求項５】
前記管把持部材受容内腔は、前記継手本体に配置される、請求項４に記載の管継手。
【請求項６】
前記管把持部材受容内腔は、前記ナットに配置される、請求項４に記載の管継手。
【請求項７】
前記管把持部材受容内腔は、前記継手に組付けられたグランド部材に配置される、請求項４に記載の管継手。
【請求項８】
前記管把持部材受容内腔は、前記継手本体と前記ナットとが前記管に組み付けられたときに、該管把持部材の前記半径方向外側部分を受容および保持するように構成された環状凹所を含む、請求項４に記載の管継手。
【請求項９】
前記管把持部材は、前記継手本体と前記ナットとが前記管に組み付けられたときに、前記半径方向内側部分のまわりで回転し、その結果として、前記半径方向外側部分が半径方向に移動して該管把持部材受容内腔と噛み合うように構成されている、請求項４に記載の管継手。
【請求項１０】
前記管把持部材は、前記継手本体と前記ナットとが該管に組み付けられたときに、前記半径方向外側部分のまわりで回転して、前記環状管押込エッジが半径方向に移動して前記管と噛み合うように構成されている、請求項１に記載の管継手。
【請求項１１】
前記環状管押込エッジは、前記管上の噛み合いの前記円周上の輪を約０．０３０インチ未満の幅に制限するように構成されている、請求項１に記載の管継手。
【請求項１２】
前記第１の軸方向は、前記継手本体に向けて延びている、請求項１に記載の管継手。
【請求項１３】
継手本体と、
該継手本体に組み付けられたナットであって、該ナットは、管を受容するようにサイズが決められた環状内腔を有する、ナットと、
該継手本体と該ナットとの間に組み付けられた環状管把持部材であって、該管把持部材は、該継手本体と該ナットとが該管に締結されたときに、旋回して該管と噛み合い、該管を噛み合いの円周上の輪に沿って塑性変形し、該管把持部材と該管との間にシールを提供するように構成されている環状管押込エッジを有する、環状管把持部材と
を備え、
該管継手は、該管把持部材と該管との間の噛み合いを噛み合いの該円周上の輪に制限するように構成されている、管継手。
【請求項１４】
前記環状管押込エッジは、前記管上の噛み合いの前記円周上の輪を約０．０３０インチ未満の幅に制限するように構成されている、請求項１３に記載の管継手。
【請求項１５】
前記管把持部材と前記管とは、前記継手本体と前記ナットとが該管に組み付けられた後で、該管の該継手本体に対する実質的な軸方向移動を伴わずに該継手本体から分離可能である、請求項１３に記載の管継手。
【請求項１６】
前記管把持部材は、前記継手本体と前記ナットとが前記管に組み付けられたときに、該継手本体をシールする本体シール部分を含む、請求項１３に記載の管継手。
【請求項１７】
前記管把持部材は、前記継手本体と前記ナットとが前記管に組み付けられたときに、前記継手の管把持部材受容内腔と噛み合うように構成されている半径方向外側部分をさらに含む、請求項１３に記載の管継手。
【請求項１８】
前記管把持部材は、ばね座金を含む、請求項１３に記載の管継手。
【請求項１９】
前記継手本体と前記ナットとの間に組み付けられたグランド部材をさらに含み、該継手本体と該ナットとが該管に組み付けられたときに、継手本体と該グランド部材との間にシールが提供され、前記管把持部材と該グランド部材との間にシールが提供される、請求項１３に記載の管継手。
【請求項２０】
前記継手は、金属で構成される、請求項１３に記載の管継手。
【請求項２１】
継手本体と、
該継手本体に組み付けられたナットであって、該ナットは、管を受容するようにサイズが決められた環状内腔を有する、ナットと、
該環状内腔を通して挿入するための薄肉管であって、該薄肉管は、該管の外径の１／１０以下の壁厚を有する管と、約０．２５０インチの外径と０．０２８インチ以下の壁厚とを有する管とのうちの１つを含む、薄肉管と、
該継手本体と該ナットとの間の組み付けのための環状管把持部材であって、該把持部材は、該継手本体と該ナットとが該管に締結されたときに、噛み合いの狭い円周上の輪に沿って該薄肉管を塑性変形させ、該管把持部材と該管との間にシールを提供する、鋭利な環状押込エッジを有する、環状管把持部材と
を備える、継手アセンブリ。
【請求項２２】
前記薄肉管の内径は、前記継手本体と前記ナットとが前記管に組み付けられたときに、前記管押込エッジと前記管との噛み合いによって実質的には変化しない、請求項２１に記載の継手アセンブリ。
【請求項２３】
前記継手アセンブリの全ての構成要素は、金属で構成される、請求項２１に記載の継手アセンブリ。
【請求項２４】
前記鋭利な環状管押込エッジは、前記管上の噛み合いの前記狭い円周上の輪を約０．０３０インチ未満の幅に制限するように構成されている、請求項２１に記載の管継手アセンブリ。
【請求項２５】
環状管把持部材と管との間にシールを提供する方法であって、該方法は、
該管把持部材を通して該管を挿入することと、
該管把持部材の鋭利な環状管押込エッジを該管と噛み合わせるステップであって、その結果として、該管把持部材の該環状エッジが、噛み合いの狭い円周上の輪に沿って該管を塑性変形させて、該管把持部材と該管との間にシールを提供することと
を包含し、
噛み合いの該狭い円周上の輪は、約０．０３０インチ以下の幅を有する、方法。
【請求項２６】
前記管は薄肉管を含み、前記方法は、
該管に加えられる力を噛み合いの前記円周上の輪に沿って集中させることであって、その結果として、前記管把持部材が該管を塑性変形させ、該管の内径は、前記環状エッジと該管との噛み合いによって実質的には変形しない、こと
をさらに含む、請求項２５に記載の方法。
【請求項２７】
前記管把持部材を継手本体に押付け、該継手本体を変形させることにより、該把持部材と該継手本体との間にシールを提供することをさらに含む、請求項２５に記載の方法。
【請求項２８】
前記管把持部材の半径方向外側部分を管把持部材受容内腔と噛み合わせることをさらに含む、請求項２５に記載の方法。
【請求項２９】
前記半径方向外側部分のまわりで前記管把持部材を回転させ、前記鋭利な環状エッジを移動させて前記管と噛み合わせることをさらに含む、請求項２８に記載の方法。
【請求項３０】
前記管の端部を補強することにより、該管の半径方向の変形を抑制することをさらに含む、請求項２５に記載の方法。
【請求項３１】
前記管把持部材を通して該管を挿入することは、不変の外面を有する管を挿入することを含む、請求項２５に記載の方法。
【請求項３２】
中心軸を有する継手本体と、
該継手本体に組み付けられたナットであって、該ナットは、管を受容するようにサイズが決められた環状内腔を有する、ナットと、
該継手本体と該ナットとの間に組み付けられた環状管把持部材であって、該管把持部材は、押込エッジを有する半径方向外側部分と、環状管押込エッジを有する半径方向内側部分とを有し、該環状管押込エッジは、該継手本体と該ナットとが該管に締結されたときに、該管を、噛み合いの円周上の輪に沿って塑性変形し、該管把持部材と該管との間にシールを提供するように構成されている、環状管把持部材と
を備える、管継手。
【請求項３３】
前記管把持部材は、ばね座金を含む、請求項３２に記載の管継手。
【請求項３４】
前記管把持部材の前記半径方向外側部分は、前記継手本体と前記ナットとが前記管に組み付けられたときに、該継手の管把持部材受容内腔と噛み合うように構成されている、請求項３２に記載の管継手。
【請求項３５】
前記管把持部材受容内腔は、前記継手本体に配置される、請求項３４に記載の管継手。
【請求項３６】
前記管把持部材受容内腔は、前記ナットに配置される、請求項３４に記載の管継手。
【請求項３７】
前記管把持部材受容内腔は、前記継手に組付けられたグランド部材に配置される、請求項３４に記載の管継手。
【請求項３８】
前記管把持部材受容内腔は、前記継手本体と前記ナットとが前記管に組み付けられたときに、該管把持部材の前記半径方向外側部分を受容および保持するように構成された環状凹所を含む、請求項３４に記載の管継手。
【請求項３９】
前記管把持部材は、前記継手本体と前記ナットとが前記管に組み付けられたときに、前記半径方向内側部分のまわりで回転し、その結果として、前記半径方向外側部分が半径方向に移動して該管把持部材受容内腔と噛み合うように構成されている、請求項３４に記載の管継手。
【請求項４０】
前記管把持部材は、前記継手本体と前記ナットとが該管に組み付けられたときに、前記半径方向外側部分のまわりで回転して、前記環状管押込エッジが半径方向に移動して前記管と噛み合うように構成されている、請求項３２に記載の管継手。
【請求項４１】
前記環状管押込エッジは、前記管上の噛み合いの前記円周上の輪を０．０１０インチから０．０３０インチの幅に制限するように構成されている、請求項３２に記載の管継手。
【請求項４２】
前記環状管押込エッジは鋭利である、請求項３２〜４１のいずれか１項に記載の管継手。
【請求項４３】
環状管把持部材と薄肉管との間にシールを提供する方法であって、該薄肉管は、該薄肉管の外径の１０分の１以下の壁厚を有し、該方法は、
該管把持部材を通して該管を挿入することと、
該管把持部材の環状管押込エッジを押し込んで該管と噛み合わせることであって、その結果として、該管把持部材の該環状エッジが、噛み合いの狭い円周上の輪に沿って該管を塑性変形させて、該管把持部材と該管との間にシールを提供することと、
継手本体とナットとが該管に組み付けられたときに、該管把持部材継手の半径方向外側部材を管把持部材受容内腔と噛み合わせることと
を包含する、方法。
【請求項４４】
前記噛み合いの円周上の輪に沿って前記管に加えられた力を集中することによって、前記管把持部材は前記管を塑性変形させ、該管の内径が前記環状エッジと該管との間の噛み合いによって実質的に変形されないことをさらに包含する、請求項４３に記載の方法。
【請求項４５】
前記管把持部材を継手本体に対して押圧することと、該継手本体を変形して、該把持部材と該継手本体との間にシールを提供することとをさらに包含する、請求項４３に記載の方法。
【請求項４６】
前記半径方向外側部分の周りで前記管把持部材を回転させて、前記環状エッジを半径方向に動かして、前記管と噛み合わせることをさらに包含する、請求項４３に記載の方法。
【請求項４７】
前記管の端部を補強して、該管の半径方向の変形を防ぐことをさらに包含する、請求項４３に記載の方法。
【請求項４８】
前記管把持部材を通して前記管を挿入することは、不変の外面を有する管を挿入することを包含する、請求項４３に記載の方法。
【請求項４９】
前記環状管押込エッジは鋭利である、請求項４３〜４８のいずれかに記載の方法。